(57)【要約】
【課題】　顧客がクリーニング用タグを外す時に必ず注視する点に着目し、広告媒体として有効に広告機能を発揮させることのできるクリーニング用タグとする。
【解決手段】　タグ本体１の余白部５にクリーニング業者に関する広告以外の宣伝広告用表示６を印刷、又は宣伝広告用表示６を施したシール７を貼着する。
【選択図】　図１
0003099896.tif 000002
【実用新案登録請求の範囲】
【請求項１】
　タグ本体に広告が施されていることを特徴とするクリーニング用タグ。
【請求項２】
　広告がタグ本体に印刷されていることを特徴とする請求項１記載のクリーニング用タグ。
【請求項３】
　広告が施されたシールがタグ本体に貼着されていることを特徴とする請求項１記載のクリーニング用タグ。
【請求項４】
　広告はクリーニング業者に関する広告以外の広告が施されていることを特徴とする請求項１から３のいずれかに記載のクリーニング用タグ。
【考案の詳細な説明】
【技術分野】
【０００１】
　本考案は、顧客から預かった洗濯物にクリーニング業者が添付するタグに関し、詳しくは、広告機能を持たせたクリーニング用タグに関するものである。
【背景技術】
【０００２】
　クリーニング用タグは、クリーニング業者が顧客から預かった洗濯物を他の洗濯物と識別するために、取り扱い支店名、受付整理番号等を表示し、衣類のボタン孔、ベルト通し等に通して折り曲げて合わせた後、ステープラー等で止められているものである。
【０００３】
　従来のクリーニング用タグは上記のように洗濯物の識別機能を有しているのみで、タグに広告機能を持たせたものは存在しないが、本来の物品の機能に加え、広告機能を持たせたものとして、実用新案登録第３０７９４６６号に示されるように、レシート用紙の裏面側に広告を印刷したもの、或いは実用新案登録第３０２４２８４号に示されるように、タバコの透明外装体に広告を施したものが既に提案されている。
【０００４】
　上記レシート用紙は、顧客側は購入商品や金額の確認のため保存し必要とするものであり、又タバコの透明側は収容物の包装体として、収容物と一体不可分となって顧客側に提供、使用されるものである。
　このように、従来は広告機能を持たす物品は、顧客側が使用する必要なものに限られていたのである。
　ところが、クリーニング用タグはクリーニング業者側での使用効能に重点がおかれ、顧客側では使用するものではなく、すぐに廃棄し利用価値のないものである。
　このような顧客側で全く不必要なものに、従来は広告を施す広告媒体として、全く考慮されなかったのである。
【０００５】
　しかし、クリーニング用タグは顧客が衣類等を着用する際に必ず外さなければならないものであり、このような小さなタグを外す時はタグを注視しなければ外し難く、従って顧客は必ずタグを注視して外しているのである。
【考案の開示】
【考案が解決しようとする課題】
【０００６】
　上記点より本考案は、顧客がクリーニング用タグを外す時に必ず注視する点に着目し、広告媒体として有効に広告機能を発揮させることができるクリーニング用タグを提供しようとするものである。
【課題を解決するための手段】
【０００７】
　上記課題を解決するため請求項１記載の本考案クリーニング用タグは、タグ本体に広告が施されていることを特徴とするものである。
【０００８】
　このような構成とすることにより、顧客がクリーニング業者から仕上がった洗濯物を受け取り、洗濯物からタグ本体を外す時に、タグ本体に施されている広告が目に付き、これが顧客の注意を喚起し印象づけるため、広告媒体として有効に広告機能を発揮する。
【０００９】
　次に、請求項２記載の本考案クリーニング用タグは、請求項１記載のクリーニング用タグにおいて、広告がタグ本体に印刷されていることを特徴とするものである。
【００１０】
　このような構成とすることにより、広告が予め印刷されているので、クリーニング業者は顧客から洗濯物を受け付けた時に、タグ本体を取り付けるだけでよい。
【００１１】
　次に、請求項３記載の本考案クリーニング用タグは、請求項１記載のクリーニング用タグにおいて、広告が施されたシールがタグ本体に貼着されていることを特徴とするものである。
【００１２】
　このような構成とすることにより、クリーニング業者は洗濯物が仕上がった時に、既に洗濯物に取り付けられているタグ本体に、広告が施されているシールを貼着する。
【００１３】
　次に、請求項４記載の本考案クリーニング用タグは、請求項１から３のいずれかに記載のクリーニング用タグにおいて、広告はクリーニング業者に関する広告以外の広告が施されていることを特徴とするものである。
【００１４】
　このような構成とすることにより、顧客はクリーニング業者に関する広告では何の興味も示さないが、それ以外の広告を施すことにより、顧客の興味を引き付けるため付加価値を有する。
【考案の効果】
【００１５】
　本考案のクリーニング用タグによれば、顧客が洗濯物から小さなタグ本体を外す時にタグ本体を注視するため、否応なしにタグ本体に施された広告が目に付くので、非常に広告効果の高いものとなる。
【考案を実施するための最良の形態】
【００１６】
　以下、本考案の一実施の形態を図面に基づき説明する。
　全図を通して同一符号は、同一又は相当する部分を示すものとする。
【実施例１】
【００１７】
　図１は本考案クリーニング用タグの一実施例を示す平面図である。
　図中１は横長のテープ形状のタグ本体であり、タグ本体１の長手方向の中央部より一方の端部側寄りに、タグ本体１の長手方向に直交して折曲線２が設けられ、この折曲線２を挾んで両側に取り扱い支店名３及び受付整理番号４が印刷等により表示されている。
　そして、タグ本体１の他方の端部側寄りに余白部５が設けられ、この余白部５に文字やマーク等で宣伝広告用表示６が印刷により施されている。
【００１８】
　この宣伝広告用表示６は、取り扱いクリーニング店の名称やマーク等のクリーニング業者に関する広告を表示することもできるが、他の業種の第三者の名称やマーク等を表示することにより、顧客の興味を引き付けることができる。
　又、宣伝広告用表示６は取り扱い支店名３及び受付整理番号４等の表示と異なる色彩や態様で表示すると顧客の注意を喚起し易い。
【実施例２】
【００１９】
　図２の実施例は、実施例１のクリーニング用タグのタグ本体１の余白部５に、宣伝広告用表示６を印刷等により施したシール７を貼着した場合を示している。
【実施例３】
【００２０】
　図３の実施例は、タグ本体１の長手方向の中央部より一方の端部側寄りにタグ本体１の長手方向に直交して折曲線２が設けられ、この折曲線２を挾んで一方の側に余白部５を残して、その端部に受付整理番号４が印刷されている。
　又、折曲線２を挾んで他方の側に受付整理番号４、タグ納品メーカーの識別番号８、受付整理番号４及びタグ納品メーカーの識別番号８を示すバーコード９が印刷されている。そして、余白部５に宣伝広告用表示６が印刷により施されている。
【実施例４】
【００２１】
　図４の実施例は、実施例３のクリーニング用タグのタグ本体１の余白部５に宣伝広告用表示６を印刷等により施したシール７を貼着した場合を示している。
【実施例５】
【００２２】
　図５の実施例は、タグ本体１を折曲線２で裏面側に折曲した時、重合しない余剰部１０の裏面にも宣伝広告用表示６が施されている場合を示し、宣伝広告用表示６を印刷等により施したシール７が貼着された場合を示している。
【図面の簡単な説明】
【００２３】
【図１】本考案クリーニング用タグの一実施の形態を示す平面図である。
【図２】本考案クリーニング用タグの一実施の形態を示す平面図である。
【図３】本考案クリーニング用タグの一実施の形態を示す平面図である。
【図４】本考案クリーニング用タグの一実施の形態を示す平面図である。
【図５】本考案クリーニング用タグの一実施の形態を示す斜視図である。
【符号の説明】
【００２４】
　１　タグ本体
　２　折曲線
　３　取り扱い支店名
　４　受付整理番号
　５　余白部
　６　宣伝広告用表示
　７　シール
　８　タグ納品メーカーの識別番号
　９　バーコード
　１０　余剰部
【図１】
0003099896.tif 000003
【図２】
0003099896.tif 000004
【図３】
0003099896.tif 000005
【図４】
0003099896.tif 000006
【図５】
0003099896.tif 000007